(57)【要約】【課題】携帯性にすぐれ、動作に障害を生じさせずに作動距離を長くする。【解決手段】携帯機器は、ディスプレイ１３と、操作部１２と、ディスプレイ１３及び操作部１２の双方を作動させる着脱可能な電池２１と、電池２１を覆うカバー用蓋２３とを備える。ＲＦＩＤのリーダライタ２５又はタグ３２が設けられ、リーダライタ２５又はタグ３２のアンテナ２４又は３３がカバー用蓋２３に取付けられる。アンテナ２４が平板状磁芯２４ａと螺旋状の又は渦巻き状の導線２４ｂとにより形成され、平板状磁芯２４ａと電池２１の間に導電板２６が設けられる。導電板はアルミニウム若しくはマグネシウム若しくは銅又はそれらの合金からなるカバー用蓋２３である。【選択図】  図１
2004320571.tif 000002
【特許請求の範囲】
【請求項１】
ディスプレイ（１３）と、操作部（１２）と、前記ディスプレイ（１３）及び前記操作部（１２）の双方を作動させる電池（２１）とを備える携帯機器において、
ＲＦＩＤのリーダライタ（２５）又はタグ（３２）が設けられ、
前記リーダライタ（２５）又は前記タグ（３２）のアンテナ（２４又は３３）が平板状に形成され、
前記アンテナ（２４又は３３）が前記電池（２１）の外側に前記電池（２１）の面に平行に取付けられた
ことを特徴とするＲＦＩＤ機能付き携帯機器。
【請求項２】
ディスプレイ（１３）と、操作部（１２）と、前記ディスプレイ（１３）及び前記操作部（１２）の双方を作動させる着脱可能な電池（２１）と、前記電池（２１）を覆うカバー用蓋（２３）とを備えた携帯機器において、
ＲＦＩＤのリーダライタ（２５）又はタグ（３２）が設けられ、
前記リーダライタ（２５）又は前記タグ（３２）のアンテナ（２４又は３３）が前記カバー用蓋（２３）に取付けられたＲＦＩＤ機能付き携帯機器。
【請求項３】
ディスプレイ（１３）と、操作部（１２）と、前記ディスプレイ（１３）及び前記操作部（１２）の双方を作動させる電池（２１）と、前記電池（２１）を被覆しかつ着脱可能な蓋として機能するカバー部材（４３）とを備えた携帯機器において、
ＲＦＩＤのリーダライタ（２５）又はタグ（３２）が設けられ、
前記リーダライタ（２５）又は前記タグ（３２）のアンテナ（２４又は３３）が前記カバー部材（４３）に取付けられたＲＦＩＤ機能付き携帯機器。
【請求項４】
携帯機器が携帯電話、ＰＨＳ、ノートパソコン、トランシーバーである請求項１ないし３いずれか１項に記載のＲＦＩＤ機能付き携帯機器。
【請求項５】
アンテナ（２４又は３３）が平板状磁芯（２４ａ）と前記平板状磁芯（２４ａ）に巻回された螺旋状の導線（２４ｂ）又は前記平板状磁芯（２４ａ）の中央又は偏芯させて積層された渦巻き状の導線（２４ｂ）とにより形成された請求項１ないし４いずれか１項に記載のＲＦＩＤ機能付き携帯機器。
【請求項６】
アンテナ（２４又は３３）と電池（２１）の間に導電板（２６）が設けられた請求項１ないし５いずれか１項に記載のＲＦＩＤ機能付き携帯機器。
【請求項７】
導電板（２６）がアルミ、銅又はその合金である請求項６記載のＲＦＩＤ機能付き携帯機器。
【請求項８】
電池（２１）のカバー用蓋（２３）又は蓋として機能するカバー部材（４３）がアルミ、銅、マグネシウム又はその合金よりなる請求項２又は３記載のＲＦＩＤ機能付き携帯機器。
【請求項９】
電池（２１）の外面，カバー用蓋（２３）又はカバー部材（４３）に取付けられたアンテナ（２４又は３３）が合成樹脂製カバー（２７）により覆われた請求項１ないし８いずれか１項に記載のＲＦＩＤ機能付き携帯機器。
【請求項１０】
リーダライタ（２５）又はタグ（３２）がディスプレイ（１３）及び前記操作部（１２）の双方を作動させる電池（２１）により作動する請求項１ないし９いずれか１項に記載のＲＦＩＤ機能付き携帯機器。
【請求項１１】
リーダライタ（２５）又はタグ（３２）の情報がディスプレイ（１３）に表示可能に構成された請求項１ないし１０いずれか１項に記載のＲＦＩＤ機能付き携帯機器。
【請求項１２】
リーダライタ（２５）が操作部（１２）により操作可能に構成された請求項１ないし１１いずれか１項に記載のＲＦＩＤ機能付き携帯機器。
【発明の詳細な説明】
【０００１】
【発明の属する技術分野】
本発明は、ディスプレイと操作部とそれらを作動させる電池を持つ携帯用機器、例えば携帯電話、ＰＨＳ、ノートパソコン等の携帯用機器にＲＦＩＤのリーダライタ又はタグを取付けたＲＦＩＤ機能付き携帯機器に関するものである。
【０００２】
【従来の技術】
ＲＦＩＤ（Ｒａｄｉｏ  Ｆｒｃｑｕｅｎｃｙ  Ｉｄｅｎｔｉｆｉｃａｔｉｏｎ）のタグは情報を記録しているＩＣとアンテナよりなり、リーダライタから所定の周波数の所定の読み出しコマンドを受けることによりＩＣの記憶を発信し、リーダライタで読み出す。またリーダライタの信号により記憶を書き替えることもできる。このタグは入門許可票、定期券、回数券、プリペイドカード等多様な用途に使用されている。このタグの記憶を確認する必要がある場合がある。例えばプリペイドカードではその使用に際し残金を確認する必要がある。この場合プリペイドカードをリーダライタのある場所に行き確認していた。このリーダライタのある場所に行き確認する手間を省くにはリーダライタ自体を個人が所有することが考えられる。
【０００３】
しかし、リーダライタを個人が所持することはリーダライタの価格、重量、寸法を考慮すれば現実的ではない。一方、近年では、従来から用いられている携帯機器の内部にタグを取付け、その携帯機器に個人情報等を記憶させることが提案されている（例えば、特許文献１参照。）。しかしこの方法は携帯機器にタグを取付けるため日常所持する物品の数が減るものの上述のタグ、又はリーダライタの内容の確認はできない。そこで、リーダライタの内容を読み取ることを可能とするために携帯機器にＲＦＩＤのリーダライタ機能を付加するには、アンテナ、ＲＦＩＤ回路等を追加すればよい。ＲＦＩＤの回路は１〜２ｍｍ立法程度の小型のものであり、ＲＦＩＤのアンテナは暑さ１ｍｍ以上でこれを追加することによる重量寸法は極めて少なく、原価の上昇も少ないものと考えられる。
【０００４】
【特許文献１】
特開２００３−１６４０９号公報
【０００５】
【発明が解決しようとする課題】
しかし、携帯機器には機器本来の機能を果たすための回路があり、ＲＦＩＤのアンテナ特にタグに比べ電波が強力で電池で作動する増幅回路を持つリーダライタの場合は携帯機器の回路に近接して配置すると相互に干渉し正常に作動しなくなるおそれがある。また携帯機器の部品には金属、磁性材料が存在する。これらの影響を避ける場所にアンテナを配置すればその制約が多いため使用できる場所が限られアンテナの面積が狭くなるためＲＦＩＤの作動距離が極めて小さくなる。また携帯機器を小型化、強固にするためその容器を軽量強靱なアルミ製、マグネシウム製等とするとこれらがＲＦＩＤのアンテナのインダクタンスを変化させＲＦＩＤのアンテナの共振周波数が変化し正常に作動しなくなる場合がある。
本発明の目的は、正常に作動し、かつその作動範囲が比較的広いＲＦＩＤ機能付き携帯機器を提供することにある。
【０００６】
【課題を解決するための手段】
請求項１に係る発明は、図１に示すように、ディスプレイ１３と、操作部１２と、ディスプレイ１３及び操作部１２の双方を作動させる電池２１とを備える携帯機器の改良である。
その特徴ある構成は、ＲＦＩＤのリーダライタ２５又はタグ３２が設けられ、リーダライタ２５又はタグ３２のアンテナ２４又は３３が平板状に形成され、アンテナ２４又は３３が電池２１の外側に電池２１の面に平行に取付けられたところにある。
電池２１は携帯電話等携帯機器の外面の相応面積を占めており、電池２１はその内部に導電性ではあるが電気抵抗の高く電波を吸収する電解液を持ちかつ良導電性で電波を反射する金属で覆われているため電波を通過させない。この請求項１に係るＲＦＩＤ機能付き携帯機器では、電池２１の外側にＲＦＩＤのアンテナ２４又は３３を配置するので、ＲＦＩＤのアンテナ２４又は３３が発する電波は電池２１により反射又は吸収され携帯機器の回路に達することはない。また携帯機器の回路の電波も電池２１により反射吸収されＲＦＩＤのアンテナ２４又は３３に達することもなくなる。アンテナ２４又は３３を薄い平板状とし電池２１の面平行に取付ければ携帯機器の寸法の増加は少ない。
【０００７】
請求項２に係る発明は、ディスプレイ１３と、操作部１２と、ディスプレイ１３及び操作部１２の双方を作動させる着脱可能な電池２１と、電池２１を覆うカバー用蓋２３とを備えた携帯機器に請求項１の方法を実施する具体的な方法である。
その特徴ある構成は、ＲＦＩＤのリーダライタ２５又はタグ３２が設けられ、リーダライタ２５又はタグ３２のアンテナ２４又は３３がカバー用蓋２３に取付けられたところにある。
この請求項２に係るＲＦＩＤ機能付き携帯機器では、カバー用蓋２３の材質がプラスチック等非磁性で非電気伝導性の材料よりなる場合はアンテナ２４又は３３はカバー用蓋２３の外に配置しても、内側に配置しても、またインサート成形法等を用いカバー用蓋２３の内部に配置しても良い。カバー用蓋２３がアルミ板、マグネシウムダイカスト等電気伝導性の材料である場合はアンテナ２４又は３３は外部に配置する必要がある。ＲＦＩＤの回路はカバー用蓋２３に配置しても良いが携帯機器本体に配置しても良い。その場合及び携帯機器のディスプレイ１３や操作部１２をＲＦＩＤで使用する場合はカバー用蓋２３に接点を設けカバー用蓋２３を閉めた時の回路が接続するようにする。
【０００８】
請求項３に係る発明はディスプレイ１３と、操作部１２と、ディスプレイ１３及び操作部１２の双方を作動させる電池２１と、電池２１を被覆しかつ着脱可能な蓋として機能するカバー部材４３とを備えた携帯機器に請求項１の方法を実施する具体的な方法である。
その特徴ある構成は、ＲＦＩＤのリーダライタ２５又はタグ３２が設けられ、リーダライタ２５又はタグ３２のアンテナ２４又は３３がカバー部材４３に取付けられたところにある。
この請求項３に係るＲＦＩＤ機能付き携帯機器では、蓋の機能をするカバー部材４３の材質がプラスチック等非磁性で非電気伝導性の材料よりなる場合アンテナ２４又は３３はカバー部材４３の外に配置しても、内側に配置しても、またインサート成形法等を用いカバー部材４３の内部に配置しても良い。カバー部材４３がアルミ板、マグネシウムダイカスト等電気伝導性の材料である場合はアンテナ２４又は３３は外部に配置する必要がある。ＲＦＩＤの回路はカバー部材４３に配置しても良いが携帯機器本体に配置しても良い。この場合及び携帯機器のディスプレイ１３や操作部１２をＲＦＩＤで使用する場合はカバー部材４３に接点を設けカバー部材４３を閉めた時の回路が接続するようにする。
【０００９】
請求項４に係る発明は、請求項１ないし３いずれか１項に記載の発明であって、携帯機器が携帯電話、ＰＨＳ、ノートパソコン、トランシーバーであるＲＦＩＤ機能付き携帯機器である。
この請求項４に記載した携帯機器は、ディスプレイ１３、操作部１２とそれを作動させる電池２１を持ち、ＲＦＩＤのリーダライタ２５又はタグ３２を取付けるに適した携帯機器を示している。
【００１０】
請求項５に係る発明は、請求項１ないし４いずれか１項に記載の発明であって、アンテナ２４又は３３が平板状磁芯２４ａと平板状磁芯２４ａに巻回された螺旋状の導線２４ｂ又は平板状磁芯２４ａの中央又は偏芯させて積層された渦巻き状の導線２４ｂとにより形成されたＲＦＩＤ機能付き携帯機器である。
アンテナ２４又は３３を電池２１の外部に配置する場合ＲＦＩＤのアンテナ２４又は３３として広く使用されている空芯の渦巻き状アンテナ２４又は３３はその磁束成分が面に垂直であるため磁束が電池２１を通過するため正常に作動しない。請求項５に係る発明は、これを避けるため平板状の磁心に螺旋状に巻いた導線よりなるアンテナ２４又は３３を用いる。このアンテナ２４又は３３の磁束は磁心に平行であるため磁束は電池２１の面に沿って流れるため電池２１の影響を受けることは少ない。また平面の渦巻き状の導線２４ｂを平板状磁芯２４ａの上に配置し磁束が磁芯２４ａを通過するようにしても良い。このアンテナ２４又は３３の導線２４ｂは平板状でありエッチングにより能率良く製造できる。磁心の材料は磁性フレーク又は粒子とプラスチックの複合材、フェライト等が使用できる。またＲＦＩＤの周波数が低い場合はアモルファス金属も使用できる。
【００１１】
請求項６に係る発明は、請求項１ないし５いずれか１項に記載の発明であって、アンテナ２４又は３３と電池２１の間に導電板２６が設けられたＲＦＩＤ機能付き携帯機器である。
請求項７に係る発明は、請求項６記載の発明であって、導電板２６がアルミ、銅又はその合金であるＲＦＩＤ機能付き携帯機器である。
請求項８に係る発明は、請求項２又は３記載の発明であって、電池２１のカバー用蓋２３又は蓋として機能するカバー部材４３がアルミ、銅、マグネシウム又はその合金よりなるＲＦＩＤ機能付き携帯機器である。
【００１２】
電池２１の外装材として鉄板が使用される場合が多い。鉄板は強磁性でそれに近接するアンテナ２４又は３３の損失を増し、また鉄板インダクタンスを変化させる。これを防止するために請求項６〜８に係る発明では、は電気伝導性の良い金属製即ちアルミ、銅、黄銅等よりなる導電板２６を電池２１とアンテナ２４又は３３の間に配置する。導電板２６の電気抵抗が小であれば導電板２６による損失の増加は少ない。導電板２６によるインダクタンスの変化は予めその変化を見込みアンテナ２４又は３３を設計すればよい。導電板２６の厚さは１０μあれば充分である。電池２１のカバー用蓋２３又はカバー部材４３の材料を導電性の良い材料であるアルミ、銅、黄銅等で製造しその上にアンテナ２４又は３３を配置すれば導電板は不要となる。またカバー用蓋２３又はカバー部材４３の材料としてマグネシウムのダイカスト材を使用しても良い。マグネシウムのダイカスト材はアルミ、銅等に比べやや固有抵抗が大きいがカバー用蓋２３又はカバー部材４３としての強度を持たせる相応の厚さになるため抵抗は低くなるので使用できる。
【００１３】
請求項９に係る発明は、請求項１ないし８いずれか１項に記載の発明であって、電池２１の外面，カバー用蓋２３又はカバー部材４３に取付けられたアンテナ２４又は３３が合成樹脂製カバー２７により覆われたＲＦＩＤ機能付き携帯機器である。
この請求項９に係るＲＦＩＤ機能付き携帯機器では、アンテナ２４又は３３を合成樹脂製カバー２７で覆うので、カバー用蓋２３又はカバー部材４３の外面に取付けたアンテナ２４又は３３を破損から防止することができる。
【００１４】
請求項１０に係る発明は、請求項１ないし９いずれか１項に記載の発明であって、リーダライタ２５又はタグ３２がディスプレイ１３及び操作部１２の双方を作動させる電池２１により作動するＲＦＩＤ機能付き携帯機器である。
請求項１１に係る発明は、請求項１ないし１０いずれか１項に記載の発明であって、リーダライタ２５又はタグ３２の情報がディスプレイ１３に表示可能に構成されたＲＦＩＤ機能付き携帯機器である。
請求項１２に係る発明は、請求項１ないし１０いずれか１項に記載の発明であって、リーダライタ２５が操作部１２により操作可能に構成されたＲＦＩＤ機能付き携帯機器である。
この請求項１０、１１及び１２に係るＲＦＩＤ機能付き携帯機器では、携帯機器にＲＦＩＤを取付けることによる重量、容積、価格の増加を最小とするため携帯機器の電池２１、ディスプレイ１３、テンキー等操作部１２をＲＦＩＤに利用するものである。これらは重量、容器が大で原価も高いのでこれをＲＦＩＤにも共用すればＩＣ化されたＲＦＩＤの回路と面積は大きいが薄いアンテナ２４又は３３を追加するのみで重量、容積、価格の上昇を最小とすることができる。
【００１５】
【発明の実施の形態】
次に本発明の第１の実施の形態を図面に基づいて説明する。
図１及び図２に示すように、携帯機器１０は、機器本体１１と、その機器本体１１の裏部に離脱可能に取付けられた電池２１、及びその電池２１を覆うように機器本体１１の裏部に離脱可能に取付けられたカバー用蓋２３とを備える。この実施の形態における携帯機器１０はいわゆる携帯電話であり、その携帯機器１０における機器本体１１の表部には、電源スイッチ１２ａや押しボタン式の複数のダイヤルキー１２ｂなどを有する操作部１２及び所定の事項を表示可能に構成されたディスプレイ１３が設けられ，その表部の上部と下部には、それぞれ通話用のスピーカ１６とマイク１４が内蔵される。そして機器本体１１の上部にはロッドアンテナ１７が設けられる。
【００１６】
図１に示すように、機器本体１１の内部には操作部１２からの入力に応じてダイヤルしかつマイク１４からの音声を信号に転じてロッドアンテナ１７から発信するとともにそのロッドアンテナ１７から受信する信号を音声に転換してスピーカ１６から発生させるメイン回路１８が設けられる。また機器本体１１の内部にはメイン回路１８からの指令により操作部１２により操作されたダイヤル等の所定の情報をディスプレイ１３に表示させる表示回路１９が設けられる。電池２１はメイン回路１８及び表示回路１９に電力を供給するためのものであり、この実施の形態における電池２１はいわゆる乾電池である場合を示す。即ち、機器本体１１の裏部に図示しないソケットが設けられ、電池２１をこのソケットに装着することにより電池２１が機器本体１１の裏部に取付けられる。
【００１７】
この携帯機器１０には、送受信アンテナ２４とこの送受信アンテナ２４に接続された制御回路２８とを有するリーダライタ２５が設けられ、送受信アンテナ２４はカバー用蓋２３の外面に取付けられる。この送受信アンテナ２４はタグ３２（図４）に電波を送信しかつそのタグ３２からの共振電波を受信可能に構成される。この実施の形態におけるタグ３２は、いわゆるプリペイド型のカード３１に内蔵されたものであり、図４に示すように渦巻き状に巻回されたアンテナコイル３３と、アンテナコイル３３に電気的に接続されカード所持者における固有の情報が記憶可能に構成されたＩＣチップ３４とを備える。
【００１８】
ＩＣチップ３４は、電源回路３４ｂと、無線周波数（ＲＦ）回路３４ｃと、変調回路３４ｄと、復調回路３４ｅと、ＣＰＵ３４ｆと、このＣＰＵ３４ｆに接続されカード３１を所持するものの固有の情報が記憶されるメモリ３４ａとを有する。電源回路３４ｂはコンデンサ（図示せず）を内蔵し、このコンデンサはアンテナコイル３３とともに共振回路を形成する。このコンデンサにはアンテナコイル３３が特定の周波数の電波を受信したときにその相互誘導作用で生じる電力が充電される。電源回路３４ｂはこの電力を整流し安定化してＣＰＵ３４ｆに供給し、ＩＣチップ３４を活性化する。メモリ３４ａはＲＯＭ（ｒｅａｄ  ｏｎｌｙ  ｍｅｍｏｒｙ）、ＲＡＭ（ｒａｍｄｏｍ−ａｃｃｅｓｓ  ｍｅｍｏｒｙ）及びＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）を含み、ＣＰＵ３４ｆの制御の下で後述するデータ表示制御回路２８からの電波のデータ通信による読出しコマンドに応じて記憶されたデータの読出しを行うとともに、データ表示制御回路２８からの書込みコマンドに応じてデータの書込みが行われる。
【００１９】
図１及び図３に示すように、カバー用蓋２３の外面に取付けられた送受信アンテナ２４は平板状に形成された平板状磁芯２４ａと、この平板状磁芯２４ａにこの平板状磁芯２４ａの長手方向における軸芯を中心として螺旋状に巻回された導線２４ｂとを備える。平板状磁芯はフェライト焼結体、又は磁性粉末若しくはフレークとプラスチックとの複合材により作られることが好ましい。導線２４ｂは、ポリイミド等の耐熱性樹脂により被覆された銅線であり、この導線２４ｂと平板状磁芯２４ａとにより送受信アンテナ２４が形成される。
【００２０】
図１に示すように、電池２１を覆うカバー用蓋２３は、ポリイミド、エポキシ、ポリフェニールスルフォイド又はフェノールのようなプラスチックの成型品であり、平板状磁芯２４ａが機器本体１１の表部に平行になるように送受信アンテナ２４はカバー用蓋２３の外面に取付けられる。この実施の形態ではカバー用蓋２３の外面に導電板２６が設けられ、送受信アンテナ２４と電池２１の間にその導電板２６が介在するように、送受信アンテナ２４がカバー用蓋２３に取付けられる。この導電板２６は送受信アンテナ２４を機器本体１１の内部に設けられたメイン回路１８から遮蔽する機能を有し、この導電板２６は銅又はアルミニウムにより形成される。ここで、導電板２６の固有抵抗は１．５９×１０−６〜８×１０−６Ω・ｃｍ、好ましくは１．５９×１０−６〜３×１０−６Ω・ｃｍであることが好ましい。また導電板２６の厚さは０．００８〜３ｍｍ、好ましくは０．０５〜０．５ｍｍである。なお、カバー用蓋２３の外面に設けられた送受信アンテナ２４は更に樹脂製カバー２７により覆われる。
【００２１】
一方、機器本体１１には送受信アンテナ２４に接続されてデータ表示制御回路２８が設けられる。送受信アンテナ２４とデータ表示制御回路２８との接続は機器本体１１及びカバー用蓋２３にそれぞれ設けられた端子２９ａ，２９ｂを介して行われ、この端子２９ａ，２９ｂはカバー用蓋２３を機器本体１１に取付けた状態で接触導通するように構成される。このデータ表示制御回路２８は、カバー用蓋２３に取付けられた送受信アンテナ２４を介してタグ３２に特定周波数の電波を送信するように構成される。また、データ表示制御回路２８は表示回路１９にも接続され、その表示回路１９を制御して送受信アンテナ２４を介して受信するタグ３２からの応答信号によりＩＣチップ３４に記憶された内容をディスプレイ１３に表示するように構成される。
【００２２】
即ち、この実施の形態におけるデータ表示制御回路２８は上記ＩＣチップ３４に記憶された情報を読出しかつＩＣチップ３４に追加情報を書込むように構成され、図４に示すように、電池２１に接続される電源回路２８ａと、無線周波数（ＲＦ）回路２８ｂと、変調回路２８ｃと、復調回路２８ｄと、ＣＰＵ２８ｅと、このＣＰＵ２８ｅに接続されＩＣチップ３４から読取った情報を記憶するメモリ２８ｆとを有する。表示回路１９にはＣＰＵ２８ｆが接続され、送受信アンテナ２４を介して受信するタグ３２からの応答信号によりＩＣチップ３４に記憶された内容をディスプレイ１３に表示するように表示回路１９を制御可能に構成される。
【００２３】
このように構成された携帯機器１０では、カード３１のタグ３２に記憶された例えば残りのポイントを確認するためにそのカード３１を携帯機器１０の外面に近づけて送受信アンテナ２４の交信範囲に入ると、データ表示制御回路２８はその送受信アンテナ２４を介してカード３１に設けられたタグ３２におけるアンテナコイル３３に向けてその識別コード質問信号を特定周波数の電波により送信する。この実施の形態における質問信号は２値化されたデジタル信号である。このデジタル信号は、図示しない信号発生器から発せられ変調回路２８ｃで変調を受ける。ＲＦ回路２８ｂではこの変調した信号を増幅して送受信アンテナ２４から送信する。この変調には例えばＡＳＫ（振幅変調）、ＦＳＫ（周波数変調）又はＰＳＫ（位相変調）が挙げられる。
【００２４】
送信された質問信号の電波はタグ３２のアンテナコイル３３に受信され、この受信により、電源回路３４ｂのコンデンサにはその電磁誘導で生じる電力が充電される。電源回路３４ｂは電力を整流し安定化して、ＣＰＵ３４ｆに供給し、ＩＣチップ３４を活性化する。次いでＩＣチップ３４のＲＦ回路３４ｃでは復調に必要な信号のみを取込み、復調回路３４ｅで元のデジタル信号の質問信号を再現させてメモリ３４ａからポイントに関するデータを送信する。このデータの送信は２値化された識別コードをＩＣチップ３４の変調回路３４ｄで変調し、ＲＦ回路３４ｃで増幅してアンテナコイル３３から送出することにより行われる。
【００２５】
送信されたデータは送受信アンテナ２４を介してデータ表示制御回路２８が受信し、データ表示制御回路２８はそのデータによりそのポイントをメモリ２８ｆに記憶する。そして、このポイントに関する情報をディスプレイ１３に表示するように表示回路１９を制御する。表示回路１９はデータ表示制御回路２８からの指令によりそのポイントに関する情報をディスプレイ１３に表示する。これにより、そのカード３１を所持する者は、ディスプレイ１３に表示された情報によりそのカード３１に記憶されているポイントの残数に関する情報を知ることができる。このように、本発明の携帯機器を用いれば、独立して作られたリーダライタ２５自体を携帯する煩わしさが回避され、従来から携帯している携帯機器１０によりタグ３２に記憶された情報を得ることができ、ＩＣカード３１本来の携帯性が失われることはない。
【００２６】
ここで、携帯機器１０の裏部に設けられる電池２１は、携帯機器の携帯性を確保するために極力薄く形成されており、比較的広い表面面積を有する。この電池２１は電導率が良く電波を効率よく反射させる金属及び電波を吸収する電解質を含み、電池２１が電波が通過させることはない。従って、その電池２１を覆うように取付けられたカバー用蓋２３の外面に送受信アンテナ２４を取付けるので、送受信アンテナ２４と携帯機器１０の内部に設けられた本来的な機能を有する回路との干渉をさけることができ、携帯機器１０本来の動作に障害を生じさせることはない。特にこの実施の形態では、平板状磁芯２４ａと電池２１の間に導電板２６を設けたので、その導電板２６が電波を有効に遮蔽するので、送受信アンテナ２４と携帯機器１０の内部に設けられた本来的な機能を有する回路との干渉は有効に防止され、携帯機器本来の動作を確実にすることができる。
【００２７】
また、送受信アンテナ２４は磁芯２４ａを有するので、空芯コイルからなるアンテナに比較して、その受信感度は向上しており、この送受信アンテナ２４をカバー用蓋２３に取付けてもその磁芯２４ａが平板状であることにより携帯機器１０に必要な薄さは維持され、携帯機器１０本来の携帯性を維持させることができる。
【００２８】
なお、上述した実施の形態では、機器本体１１の裏部に設けられたソケットに電池２１が直接装着される携帯機器を示したが、図５に示すように、二次電池２１がカバー部材４３に被覆されたいわゆる電池パック４２が機器本体１１の裏部に離脱可能に取付けられた携帯機器の場合には、送受信アンテナ２４を電池パック４２の外面、即ちカバー部材４３の外面に取付けることが好ましい。送受信アンテナ２４をカバー部材４３の外面に取付けることにより、送受信アンテナ２４と携帯機器１０の内部に設けられた本来的な機能を有する回路との干渉をさけることができ、携帯機器１０本来の動作に障害を生じさせることを回避することができる。
【００２９】
また、上述した実施の形態では、データ表示制御回路２８が機器本体１１に設けられた例を示したが、データ表示制御回路２８はカバー用蓋２３に設けても良い。データ表示制御回路２８をカバー用蓋２３に設ければ、機器本体１１にデータ表示制御回路２８が設けられていない従来の携帯機器１０のカバー用蓋を、データ表示制御回路２８及び送受信アンテナ２４が設けられたカバー用蓋２３に取り替えるだけで比較的容易に本発明のＲＦＩＤ機能付き携帯機器とすることができる。
【００３０】
また、上述した実施の形態では、平板状磁芯２４ａと平板状磁芯２４ａに巻回された螺旋状の導線２４ｂとにより形成された送受信アンテナ２４を示したが、図６及び図７に示すように、送受信アンテナ２４は平板状磁芯２４ａとその平板状磁芯２４ａに積層された渦巻き状の導線２４ｂとにより形成しても良い。この場合であっても、送受信アンテナ２４の受信感度は向上し、携帯機器１０に必要な薄さを維持させることができる。特に図に示すように、渦巻き状の導線２４ｂを平板状磁芯２４ａに偏芯させて積層すれば、磁束が図７に示すように通過するため、このアンテナ２４を金属から鳴るカバー用蓋２３又はカバー部材４３に取付けても、そのアンテナ２４としての機能を十分に発揮させることができる。
【００３１】
また、上述した実施の形態では、送受信アンテナ２４と電池２１の間に導電板２６が設けられる例を示したが、カバー用蓋２３がアルミニウム若しくはマグネシウム若しくは銅又はそれらの合金からなる場合、このカバー用蓋２３を導電板とすることができる。この場合には、別部材からなる導電板を用いることなくカバー用蓋２３により電波を有効に遮蔽することができ、携帯機器１０が本来的に有する動作を更に確実化させることができる。
また、上述した実施の形態では、リーダライタ２５が携帯機器１０に設けられた場合を説明したが、この場合には、操作部１２によりリーダライタ２５を操作可能に構成することが好ましい。リーダライタ２５を操作部１２により操作可能に構成すれば、携帯機器から特定の情報を発することができ、特定情報をタグに記憶させることもできるようになる。
【００３２】
更に、上述した実施の形態では、リーダライタ２５が携帯機器１０に設けられ、タグ３２がプリペイド型のカード３１に内蔵された場合を説明したが、このタグ３２を携帯機器１０に取付けても良い。この場合、アンテナコイル３３をカバー用蓋２３又は電池パック４２の外面に取付けることにより、アンテナコイル３３と携帯機器１０の内部に設けられた本来的な機能を有する回路との干渉をさけることができ、携帯機器１０本来の動作に障害を生じさせることを回避することができる。また、従来から携帯している携帯機器自体がタグとしても使用できることになり、タグと携帯機器を別々に携帯する場合に比較してその携帯性を更に向上させることができる。
【００３３】
【発明の効果】
以上述べたように、本発明によれば、電池を覆うように取付けられたカバー用蓋又は電池パックを構成するカバー部材の外面にＲＦＩＤのタグ又はリーダライタのアンテナを取付けるものである。ここで、電池は、携帯機器の携帯性を確保するために極力薄く形成されており、比較的広い表面面積を有する。この電池は電導率が良く電波を効率よく反射させる金属及び電波を吸収する電解質を含み、電池は電波が通過することはない。従って、アンテナと携帯機器の内部に設けられた本来的な機能を有する回路との干渉をさけることができ、携帯機器本来の動作に障害を生じさせることはない。携帯機器がリーダライタを備える場合には、独立して作られたリーダライタを携帯する煩わしさが回避され、従来から携帯している携帯機器によりタグに記憶された情報を得ることができる。携帯機器がタグを備える場合には、携帯機器と別に独立してタグであるＩＣカード等を携帯する煩わしさから解放される。
【００３４】
ここで、アンテナが磁芯を有するものであれば、その受信感度を向上させてタグ、又はリーダライタ又はタグの作動距離を伸ばすことができる。また、その磁芯が平板状であれば携帯機器に必要な薄さを維持させることができる。また、アンテナと電池の間に導電板を設ければ、その導電板が電波を有効に遮蔽するので、アンテナと携帯機器の内部に設けられた本来的な機能を有する回路との干渉を有効に防止し、携帯機器本来の動作を確実にすることができる。
【図面の簡単な説明】
【図１】本発明の携帯機器の構成を示す概念図。
【図２】その携帯機器の斜視図。
【図３】そのアンテナを示す図１のＡ−Ａ線断面図。
【図４】その携帯機器におけるデータ表示制御回路、送受信アンテナ及びタグの回路を示す図。
【図５】電池パックを有する本発明の別の携帯機器の構成を示す図１に対応する概念図。
【図６】平板状磁芯に渦巻き状の導線が積層された別のアンテナを示す平面図。
【図７】その別のアンテナの側面図。
【符号の説明】
１０  携帯機器
１１  機器本体
１２  操作部
１３  ディスプレイ
１９  表示回路
２１  電池
２３  カバー用蓋
２４  送受信アンテナ（アンテナ）
２４ａ  平板状磁芯
２４ｂ  導線
２５  リーダライタ
２６  導電板
２７  樹脂製カバー
２８  データ表示制御回路
３２  タグ
３３  アンテナコイル（アンテナ）
３４  ＩＣチップ
４２  電池パック
４３  カバー部材
【図１】
2004320571.tif 000003
【図２】
2004320571.tif 000004
【図３】
2004320571.tif 000005
【図４】
2004320571.tif 000006
【図５】
2004320571.tif 000007
【図６】
2004320571.tif 000008
【図７】
2004320571.tif 000009